(57)【要約】      （修正有）【課題】箸が容器の内部でガタツキを生じない箸収納用容器を提供する。【解決手段】一対の箸から成る箸物品を収納する細長い収納室を形成する容器本体３と蓋体４により開閉自在な容器１を構成し、容器本体と蓋体を閉蓋状態に保持する係脱自在な係止手段６を設けると共に、容器本体と蓋体の相互に対向する壁部のうち少なくとも一方の壁部により構成された固定壁部７に弾性片８を設ける。前記弾性片８は、前記固定壁部７に固定される基部８ａと、該基部から延設された翼部８ｂを弾性素材により一体成形しており、前記翼部８ｂは、前記固定壁部に摺動自在に接する自由端部と、前記基部と自由端部の間に位置して前記固定壁部から離反方向に湾曲して隆起する枕部を備え、前記枕部を前記収納室に収納された箸物品に弾接させるように構成している。【選択図】図１
0003185569.tif 000002
【実用新案登録請求の範囲】
【請求項１】
一対の箸から成る箸物品(2)を収納する細長い収納室を形成する容器本体(3)と蓋体(4)により開閉自在な容器(1)を構成し、容器本体と蓋体を閉蓋状態に保持する係脱自在な係止手段(6)を設けると共に、容器本体と蓋体の相互に対向する壁部のうち少なくとも一方の壁部により構成された固定壁部(7)に弾性片(8)を設けて成る箸収納用容器において、
前記弾性片(8)は、前記固定壁部(7)に固定される基部(8a)と、該基部から延設された翼部(8b)を弾性素材により一体成形しており、
前記翼部(8b)は、前記固定壁部に摺動自在に接する自由端部(11)と、前記基部と自由端部の間に位置して前記固定壁部から離反方向に湾曲して隆起する枕部(12)を備え、前記枕部を前記収納室に収納された箸物品(2)に弾接させるように構成して成ることを特徴とする箸収納用容器。
【請求項２】
前記弾性片(8)は、前記収納室の長手方向の両側に位置して、前記基部(8a)から一対の翼部(8b)(8b)を延設して成ることを特徴とする請求項１に記載の箸収納用容器。
【請求項３】
前記弾性片(8)は、前記収納室の幅方向の両側に位置して、枕部(12)よりも突出する一対の起立片(8c,8c)を延設し、一対の起立片の間に箸物品(2)を保持するように構成して成ることを特徴とする請求項１又は２に記載の箸収納用容器。
【請求項４】
前記起立片(8c,8c)は、枕部(12)から一体に突設されており、枕部(12)を固定壁部(7)に向けて弾性変形したとき、一対の起立片(8c,8c)が相互に近接方向に傾斜するように構成して成ることを特徴とする請求項３に記載の箸収納用容器。
【考案の詳細な説明】
【技術分野】
【０００１】
本考案は、箸を収納するための箸収納用容器に関する。
【背景技術】
【０００２】
従来、箸物品を構成する一対の箸をほぼ平行に揃えた状態で収納する箸収納用容器が提供されている。一般的に、箸収納用容器は、箸物品を収納する細長い収納室を形成する容器本体と蓋体により開閉自在な容器を構成し、容器本体と蓋体を閉蓋状態に保持する係脱自在な係止手段を設けている。
【０００３】
ところが、上記の一般的な箸収納用容器は、箸を収納した状態で持ち運ぶ際に、箸が容器の内部でガタツキを生じ、遊動するため、箸を損傷するおそれがあり、しかも、容器の内面に衝突することによりカチカチと騒音を発生する問題がある。
【０００４】
そこで、本考案者は、本考案に先立ち、容器本体と蓋体の相互に対向する壁部のうち少なくとも一方の壁部に弾性片を設け、該弾性片を箸の表面に弾接させ、箸を弾性的に保持することにより上記問題を解決した箸収納用容器を提案した（特許文献１）。
【先行技術文献】
【特許文献】
【０００５】
【特許文献１】特許第４８２０３８５号公報
【考案の概要】
【考案が解決しようとする課題】
【０００６】
特許文献１により提案した箸収納用容器は、ユーザに好評を博しているが、更に改良すべき点がある。
【０００７】
特許文献１において、弾性片を構成する弾性シートは、弓状に湾曲変形した状態で両端部を蓋体の被嵌合部に嵌着しており、該弾性シートの湾曲部を箸の表面に弾接させるように構成されている。従って、弾性シートは、両端部が被嵌合部により拘束された状態で中央部を圧縮させられ、中央部が凹形を呈する複雑な形状となるように変形されるので、長期間の使用に伴い、疲労し易いという問題がある。
【０００８】
上記問題は、例えば、弾性シートを変形容易となるように可及的薄肉に形成することにより解決可能である。しかしながら、この場合、容器本体と蓋体の対向する壁部の間においては、箸を弾性的に保持する弾力が低下するため、容器本体及び蓋体の幅方向に関して、強い衝撃により、箸が遊動する可能性があるという新たな問題を提起する。
【課題を解決するための手段】
【０００９】
本考案は、上記課題を解決した箸収納用容器を提供するものであり、その手段として構成したところは、一対の箸から成る箸物品を収納する細長い収納室を形成する容器本体と蓋体により開閉自在な容器を構成し、容器本体と蓋体を閉蓋状態に保持する係脱自在な係止手段を設けると共に、容器本体と蓋体の相互に対向する壁部のうち少なくとも一方の壁部により構成された固定壁部に弾性片を設けて成る箸収納用容器において、前記弾性片は、前記固定壁部に固定される基部と、該基部から延設された翼部を弾性素材により一体成形しており、前記翼部は、前記固定壁部に摺動自在に接する自由端部と、前記基部と自由端部の間に位置して前記固定壁部から離反方向に湾曲して隆起する枕部を備え、前記枕部を前記収納室に収納された箸物品に弾接させるように構成して成る点にある。
【００１０】
本考案の好ましい実施形態において、前記弾性片は、前記収納室の長手方向の両側に位置して、前記基部から一対の翼部を延設している。
【００１１】
前記弾性片は、前記収納室の幅方向の両側に位置して、枕部よりも突出する一対の起立片を延設し、一対の起立片の間に箸物品を保持するように構成している。
【００１２】
この際、前記起立片は、枕部から一体に突設され、枕部を固定壁部に向けて弾性変形したとき、一対の起立片が相互に近接方向に傾斜するように構成することが好ましい。
【考案の効果】
【００１３】
請求項１に記載の本考案によれば、閉蓋状態とした容器１に収納された箸物品２は、弾性片８の翼部８ｂにより、弾性的に保持されているので、容器１の内部で遊動することはない。
【００１４】
この際、弾性片８の翼部８ｂは、枕部１２が箸物品２により押圧されたとき、自由端部１１を固定壁部７に沿って摺動させることにより、該枕部１２を伸長しながらシンプルな形状を維持したまま弾性変形されるので、応力の集中個所を生じることがなく、長期間の変形によっても、疲労することがなく、長期にわたり十分な弾性力を発揮できるという効果がある。
【００１５】
請求項２に記載の本考案によれば、長手方向Ｘに一対の翼部８ｂ、８ｂが延設されているので、細長い箸物品２を好適に弾性保持することができる。
【００１６】
請求項３に記載の本考案によれば、閉蓋状態とした容器１に収納された箸物品２は、幅方向Ｙに対して、弾性片８に設けた一対の起立片８ｃ、８ｃにより両側から保持されるので、万一、強い衝撃により幅方向Ｙに遊動することがあっても、容器１の内面に直接衝突することはない。
【００１７】
この際、請求項４に記載の本考案によれば、枕部１２の弾性変形に追従して一対の起立片８ｃ、８ｃが相互に近接方向に傾斜させられ、これにより、箸物品２を両側から挟持することができるので、箸物品２の弾性保持が完璧となる。
【図面の簡単な説明】
【００１８】
【図１】本考案の１実施形態に関して弾性片を分解した状態を示す斜視図である。
【図２】弾性片の１実施形態を示しており、（Ａ）は枕部及び起立片を上向きとした状態の斜視図、（Ｂ）は枕部及び起立片を下向きとした状態の斜視図である。
【図３】本考案の１実施形態に関して弾性片を取付けた状態を示す斜視図である。
【図４】本考案の作用に関して開蓋状態を示しており、（Ａ）は中央縦断側面図、（Ｂ）はＡ−Ａ線断面図である。
【図５】本考案の作用に関して閉蓋状態を示しており、（Ａ）は中央縦断側面図、（Ｂ）はＢ−Ｂ線断面図、（Ｃ）は拡大断面図である。
【考案を実施するための形態】
【００１９】
以下図面に基づいて本考案の好ましい実施形態を詳述する。
【００２０】
図１及び図３に示すように、箸収納用容器１（以下、単に「容器」という。）は、一対の箸２ａ、２ａから成る箸物品２を収容する細長い収納室を形成する容器本体３と蓋体４により開閉自在に構成されている。
【００２１】
図示実施形態の場合、容器本体３と蓋体４は、それぞれプラスチックにより一体成形されると共に、幅方向に並設され、相互にヒンジ部５を介して図示矢印Ｒのように回動自在に連結されている。従って、図示のように蓋体４を開いた開蓋状態から、矢印Ｒ方向に回動させると、容器本体３と蓋体４が合掌することにより容器１が閉蓋される。
【００２２】
この際、容器本体３と蓋体４の相互間に、係脱自在な係止部６ａと被係止部６ｂから成る係止手段６が設けられており、閉蓋状態を保持する。図例の場合、係止部６ａは、容器本体３の側壁３ａに位置して外側に臨む爪片により構成され、これに対して、被係止部６ｂは、蓋体４の側壁４ａの内側に設けられた凹部により構成されており、爪片と凹部を嵌着することにより相互に係止する。尚、蓋体４の側壁４ａには外側に突出する摘み片４ｃが設けられており、閉蓋状態から前記摘み片４ｃを介して蓋体４を離反方向に引き離すと、前記係止手段６の係止が解除され、容器１を開蓋することができる。
【００２３】
しかしながら、本考案の容器１が図示のような構成に限定されないことは勿論であり、例えば、上述の特許文献１のように、浅底状の皿形状とした容器本体３に蓋体４を被冠した構成や、或いは、深底状の容器本体３の開口縁に蓋体４をスライド嵌合させる構成等としても良く、要するに、容器本体３と蓋体４により開閉自在な容器１を構成すると共に、閉蓋状態を保持する係止手段６を設けたものであれば良い。
【００２４】
そこで、容器本体３と蓋体４は、閉蓋状態で相互に対向する壁部３ｂ、４ｂを有しており、つまり、容器本体３の底壁３ｂと蓋体４の頂壁４ｂが相互に対向するように構成されており、両壁部３ｂ、４ｂのうち少なくとも一方の壁部により平坦な固定壁部７を構成し、該固定壁部７に弾性片８を設けている。図示実施形態の場合、弾性片８が設けられる固定壁部７は、容器本体３の底壁３ｂのほぼ中央部により形成しているが、蓋体４の頂壁４ｂにより形成し、該頂壁４ｂに弾性片８を設けるように構成しても良い。
【００２５】
前記弾性片８は、基部８ａを固定壁部７に着脱自在に固着するように構成されており、このため、固定壁部７と基部８ａの相互に、突起９と孔１０が設けられている。図示実施形態では、固定壁部７に突起９を一体成形し、基部８ａに孔１０を開設しているが、反対に、固定壁部７に孔１０を形成し、基部８ａに突起９を形成しても良く、孔１０は貫通孔とする他、有底孔としても良い。
【００２６】
前記弾性片８は、図２に示すように、シリコンゴム等の合成ゴムないしエラストマー等の弾性素材により一体成形されており、前記容器１の長手方向Ｘと幅方向Ｙに関して、前記固定壁部７に固定される基部８ａから前記長手方向Ｘの両側に位置して延設された一対の翼部８ｂ、８ｂと、前記幅方向Ｙの両側に位置して上向きに突出する一対の起立片８ｃ、８ｃを備えており、前記基部８ａに設けた孔１０に前記固定壁部７の突起９を嵌入し、弾着することにより、容器本体３に取付けられ固定される。
【００２７】
前記翼部８ｂは、前記固定壁部７に摺動自在に接する自由端部１１と、前記基部８ａと自由端部１１の間に位置して前記固定壁部７から離反方向に湾曲して隆起する枕部１２を備えている。尚、図示実施形態は、基部８ａから長手方向Ｘの両方に向けて一対の翼部８ｂ、８ｂを延設しているが、一方にのみ翼部８ｂを延設したものとしても良い。
【００２８】
前記起立片８ｃ、８ｃは、翼部８ｂ、８ｂのほぼ全長にわたり前記長手方向Ｘに延びる板状の壁部を構成し、起立端部１３を前記枕部１２よりも上方に突出させており、前記幅方向Ｙに間隔Ｗをあけて立設されることにより、箸物品２（平行に配列された一対の箸２ａ、２ａ）の両側面を保持するように構成されている。
【００２９】
上記構成によれば、図３及び図４に示すように、前記弾性片８は、長手方向Ｘのほぼ中央部に位置して容器本体３の固定壁部７に固定されている。従って、蓋体４を開蓋した状態で、箸物品２は、前記弾性片８の枕部１２、１２に載置することができる。
【００３０】
この状態から、蓋体４を閉蓋し前記係止手段６を係止することにより閉蓋状態を保持すると、図５に示すように、箸物品２は、蓋体４により弾性片８に向けて押圧され、該弾性片８により弾性保持されるので、容器１の内部で遊動することはない。
【００３１】
図５（Ｃ）に示すように、前記弾性片８は、箸物品２により押圧されると、枕部１２、１２を固定壁部７に向けて好適に変形する。このような枕部１２の弾性変形は、自由端部１１を固定壁部７に沿って摺動させることにより、該枕部１２を伸長しながら行われるので、応力の集中個所を生じることがない。そして、この状態から、蓋体４を開蓋することにより箸物品２を押圧力から解放すると、枕部１２は、自由端部１１を固定壁部７に沿って摺動させることにより、収縮しながら湾曲形態に復元し、箸物品２を持ち上げる。従って、弾性片８は、弾性変形させられた状態で長期間放置され、或いは、前記のような変形と復元の動作を繰返される場合でも、疲労することがなく、長期間にわたり好適に弾性機能を保持できる。
【００３２】
図５（Ｂ）に示すように、閉蓋時の箸物品２の押圧により枕部１２が変形したとき、これに追従して、該枕部１２に連設された起立片８ｃ、８ｃの下部が伸長させられる。これにより、起立片８ｃ、８ｃは、起立端部１３、１３を相互に近接する方向に傾斜させられ、箸物品２を両側から挟持する。従って、箸物品２の幅方向Ｙに対する遊動を好適に阻止することができる。尚、起立片８ｃ、８ｃは、前記間隔Ｗにより、前述のように傾斜したとき箸物品２を挟持するように構成することが好ましいが、挟持まで至らなくても、箸物品２を両側から保持できるように構成されたものであれば良い。
【符号の説明】
【００３３】
１  箸収納用容器１
２  箸物品
２ａ  箸
３  容器本体
３ａ  側壁
３ｂ  底壁
４  蓋体
４ａ  側壁
４ｂ  頂壁
４ｃ  摘み片
５  ヒンジ部
６  係止手段
６ａ  係止部
６ｂ  被係止部
７  固定壁部
８  弾性片
８ａ  基部
８ｂ  翼部
８ｃ  起立片
９  突起
１０  孔
１１  自由端部
１２  枕部
１３  起立端部
【図１】
0003185569.tif 000003
【図２】
0003185569.tif 000004
【図３】
0003185569.tif 000005
【図４】
0003185569.tif 000006
【図５】
0003185569.tif 000007